(57)【特許請求の範囲】
【請求項１】
第１、第２の一対のバー状ハンドル(３)(４)を開閉させることにより夫々トグル機構(倍力機構)(５)(６)を介してハンドル(３)(４)に連繋された第１、第２の一対の刃板(１)(２)を交叉揺動させる手動切断具であって、一対のハンドル(３)(４)及び一対の刃板(１)(２)は夫々同じ形状に形成され、両トグル機構(５)(６)は同じ構成である手動切断具において、
両刃板(１)(２)は一点を中心に回転可能に連結され、第１ハンドル(３)の先端は第１刃板(１)に枢支連結されると共に、第１リンク片(51)を介して第２刃板(２)の切刃(21)とは反対側の自由端(22)に枢支連結され、第２ハンドル(４)の先端は第２刃板(２)に枢支連結されると共に、第２リンク片(61)を介して第１刃板(１)の切刃(11)とは反対側の自由端(12)に枢支連結されており、第１ハンドル(３)、第１刃板(１)、第１リンク片(51)及び第２刃板(２)によって第１トグル機構(５)を構成し、第２ハンドル(４)、第２刃板(２)、第２リンク片(61)及び第１刃板(１)によって第２トグル機構(６)を構成していることを特徴とする手動切断具。
【発明の詳細な説明】
【技術分野】
【０００１】
本発明は、ケーブルカッター等の手動切断具に関するものである。
【背景技術】
【０００２】
この種手動切断具として、図５に示す如く、枢軸(７)によって開閉自由に連結された一対の刃板(１)(２)に、長尺バー状のハンドル(３)(４)を取り外し可能に突設したものが実用されている。
上記切断具は、両刃板(１)(２)、両ハンドル(３)(４)を夫々同形状とすることができ、部品の種類を少なくできる利点がある。
しかし、小さい力で大きな切断力を得るためにはハンドル(３)(４)を長くせねばならず、扱い難くなる。
【０００３】
そこで、トグル機構(倍力機構)を具えた切断具(例えば特開平８−２７６０７９号)も提案されている。
これは、ハンドルに作用する力をトグル機構で増力して刃板に伝えるため、ハンドル長さを短くして扱い易くできる利点がある。
しかし、一対の刃板、一対のハンドルの夫々の形状が異なるので、部品の種類が多くなりコスト高を招来する。
【発明の開示】
【発明が解決しようとする課題】
【０００４】
本発明は、上記２つの従来例の長所を損なうことのない手動切断具を明らかにするものである。
【課題を解決するための手段】
【０００５】
本発明の手動切断具は、第１、第２の一対のバー状ハンドル(３)(４)を開閉させることにより夫々トグル機構(倍力機構)(５)(６)を介してハンドル(３)(４)に連繋された第１、第２の一対の刃板(１)(２)を交叉揺動させる手動切断具において、一対のハンドル(３)(４)及び一対の刃板(１)(２)は夫々同じ形状に形成され、両トグル機構(５)(６)は同じ構成である。
【発明の効果】
【０００６】
一対のハンドル(３)(４)の夫々に倍力機構(５)(６)を介して刃板(１)(２)を連繋しているから、ハンドル(３)(４)に加わる力を増力して刃板(１)(２)に伝えることができ、その分ハンドルを短くして、扱い易くすることができる。
一対のハンドル(３)(４)及び一対の刃板(１)(２)は同じ形状に形成され、両トグル機構(５)(６)は同じ構成であるから、従来の倍力機構を用いた切断具に較べて部品の種類を少なくでき、コストの軽減に寄与できる。
【発明を実施するための最良の形態】
【０００７】
実施例の手動切断具は、太径ケーブル切断用のケーブルカッターである。
図１、図３、図４に示す如く、ケーブルカッターは、一対の同形の刃板(１)(２)を枢軸(７)によって回転可能に連結している。
刃板(１)(２)は枢軸(７)より一端側に切刃(11)(21)を具え、両刃板(１)(２)は切刃(11)(21)が交叉する様に背合わせに対称的に連結されている。
切刃(11)(21)は略Ｃ字状を呈しており、何れも交叉する際に隙間が生じない様に片刃(両刃に対する片刃のこと)に刃付けされている。
各刃板(11)(21)の切刃とは反対側自由端は外向きに短く屈曲している。
以下の説明の便宜上、一方の刃板を第１刃板(１)、他方の刃板を第２刃板(２)とする。
【０００８】
両刃板(１)(２)には、枢軸(７)を挟む対称位置に、夫々同形状のバー状ハンドル(３)(４)の先端が軸(13)(23)によって枢支連結される。
ハンドル(３)(４)は、ハンドル本体(31)(41)と、ハンドル本体の先端に取り外し可能に接続したメインリンク(52)(62)とによって形成され、メインリンク(52)(62)の先端が刃板(１)(２)に枢支連結されている。
第１刃板(１)に枢支連結されたメインリンクを第１メインリンク(52)、該第１メインリンクを含むハンドルを第１ハンドル(３)とする。
第２刃板(２)に枢支連結されたメインリンクを第２メインリンク(62)とし、第２メインリンクを含むハンドルを第２ハンドル(４)とする。
【０００９】
第１メインリンク(52)のハンドル本体側寄りと、第２刃板(２)の屈曲先端(22)とが第１リンク片(51)によって枢支連結される。
第２メインリンク(62)のハンドル本体側寄りと、第１刃板(１)の屈曲先端(12)とが第２リンク片(61)によって枢支連結される。
第１リンク片(51)と第２リンク片(61)は同じ形状に形成されている。
第１、第２刃板(１)(２)と、第１、第２リンク片(51)(61)の厚みは同じである。
【００１０】
第１メインリンク(52)、第１刃板(１)、第１リンク片(51)及び第２刃板(２)によって第１トグル機構(５)を構成し、第１メインリンク(52)と第２刃板(２)との間に第１リンク片(51)が摺接可能に挟まっている。
第２メインリンク(62)、第２刃板(２)、第２リンク片(61)及び第１刃板(１)によって第２トグル機構(６)を構成し、第２メインリンク(62)と第１刃板(１)との間に第２リンク片(61)が摺接可能に挟まっている。
従って、両トグル機構(５)(６)の厚み幅を最小限に抑えることができる。又、メインリンク(52)(62)と、ハンドル本体(31)(41)の夫々の接続部は、段差どうしのかみ合わせ接続となり、ハンドル(３)(４)の厚み幅はトグル機構(５)(６)の厚み幅にほぼ揃い、ワイヤーカッター全体の厚み幅を最小限に留めている。
【００１１】
上記ケーブルカッターは、両手で両ハンドル(３)(４)の基端を握った状態で、正面と背面では同一で区別がない。
従って、両ハンドル(３)(４)を開閉したとき、第１、第２トグル機構(５)(６)は対称的な動きを行う。
【００１２】
然して、ハンドル(３)(４)の基端間を開くと、第１メインリンク(52)は、第１刃板(１)上の軸(13)を中心に第２メインリンク(62)から離れる方向に回転し、第１リンク片(51)を介して、枢軸(７)を中心に第２刃板(２)の切刃(21)を第１刃板(１)の切刃(11)から離れる方向に回転させる。
他方、第２メインリンク(62)は、第２刃板(２)上の軸(23)を中心に第１メインリンク(52)から離れる方向に回転し、第２リンク片(61)を介して、枢軸(７)を中心に第１刃板(１)の切刃(11)を第２刃板(２)の切刃(21)から離れる方向に回転させる。
上記動作が同時進行で行われるので、切刃(11)(21)間の開く時間を短くできる。
切刃(11)(21)間にケーブルを挿入し、ハンドル(３)(４)を閉じると上記とは逆の動作で切刃(11)(21)間が閉じてケーブルを切断できる。
【００１３】
両刃板(１)(２)は、夫々トグル機構(５)(６)に連繋されており、ハンドル(３)(４)に加わる力は増力されて刃板(１)(２)に伝わるから、大きな切断力を得ることができる。
一対のハンドル(３)(４)及び一対の刃板(１)(２)は同じ形状に形成され、両トグル機構(５)(６)は同じ構成であるから、従来の倍力機構を用いた切断具に較べて部品の種類を少なくでき、コストの軽減に寄与できる。
【００１４】
上記実施例の説明は本発明を説明するためのものであって、特許請求の範囲に記載の発明を限定し、或いは該範囲を減縮する様に解すべきではない。本発明の各部構成は、上記実施例に限らず、特許請求の範囲に記載の技術的範囲内で、種々の変形が可能であることは勿論である。
【００１５】
例えば、実施例では、第１ハンドル(３)、第２ハンドル(４)は、夫々ハンドル本体(31)(41)にメインリンク(52)(62)を取り外し可能に連結して構成したが、ハンドル本体(31)(41)とメインリンク(52)(62)が一体ものであってもよいのは勿論である。
【００１６】
又、本発明は、ケーブルカッターに限らず、大型の剪定鋏等、他の用途の切断具に実施することが可能であり、この場合、刃板及び切刃は用途に適した形状を選択すればよい。
【図面の簡単な説明】
【００１７】
【図１】刃板を閉じた状態の切断具の正面図である。
【図２】同上の切断具の右側面図である。
【図３】刃板を開いた状態の切断具の要部正面図である。
【図４】切断具の要部斜面図である。
【図５】従来例の切断具の正面図である。
【符号の説明】
【００１８】
１  第１刃板
11  切刃
２  第２刃板
21  切刃
３  第１ハンドル
４  第２ハンドル
５  第１トグル機構
６  第２トグル機構
【図１】
0004801425.tif 000002
【図２】
0004801425.tif 000003
【図３】
0004801425.tif 000004
【図４】
0004801425.tif 000005
【図５】
0004801425.tif 000006